(57)【要約】【課題】１つの音声入力端子が複数の映像入力端子に対して兼用される場合、適切な音声信号の出力をすることが可能な接続装置及び接続方法を提供すること。【解決手段】第１の映像信号が入力される第１の映像入力端子１２１と、第１の映像信号とは異なる第２の映像信号が入力される第２の映像入力端子１２５と、音声信号が入力される音声入力端子１２２と、第１の映像信号の入力又は第２の映像信号の入力のいずれかに入力を切り換える入力切換部１０９と、第１の映像入力端子と外部端子との接続状態を検知する接続検知部１０７と、第１の映像入力端子と外部端子との接続状態と、入力切換部の入力の切り換えに応じて、音声入力端子に入力された音声信号の出力を制御する出力制御部１０８とを備える。【選択図】図１
2009218716.tif 000002
【特許請求の範囲】
【請求項１】
第１の映像信号が入力される第１の映像入力端子と、
前記第１の映像信号とは異なる第２の映像信号が入力される第２の映像入力端子と、
音声信号が入力される音声入力端子と、
前記第１の映像信号の入力又は前記第２の映像信号の入力のいずれかに入力を切り換える入力切換部と、
前記第１の映像入力端子と外部端子との接続状態を検知する接続検知部と、
前記第１の映像入力端子と前記外部端子との前記接続状態と、前記入力切換部の入力の切り換えに応じて、前記音声入力端子に入力された前記音声信号の出力を制御する出力制御部と、
を備える、接続装置。
【請求項２】
前記出力制御部は、
前記接続検知部で前記第１の映像入力端子と前記外部端子との接続が検知されて、前記入力切換部で前記第１の映像信号の入力に切り換えられたとき、前記音声入力端子に入力された前記音声信号を出力し、前記入力切換部で前記第２の映像信号の入力に切り換えられたとき、前記音声入力端子に入力された前記音声信号を出力せず、前記接続検知部で前記第１の映像入力端子と前記外部端子との接続が検知されず、前記入力切換部で前記第１の映像信号の入力に切り換えられたとき、前記音声入力端子に入力された前記音声信号を出力せず、前記入力切換部で前記第２の映像信号の入力に切り換えられたとき、前記音声入力端子に入力された前記音声信号を出力する第１の出力モードと、
前記接続検知部で検知された前記第１の映像入力端子と前記外部端子との前記接続状態に関わらず、前記入力切換部で前記第１の映像信号の入力に切り換えられたとき、前記音声入力端子に入力された前記音声信号を出力し、前記入力切換部で前記第２の映像信号の入力に切り換えられたとき、前記音声入力端子に入力された前記音声信号を出力しない第２の出力モードと、
前記接続検知部で検知された前記第１の映像入力端子と前記外部端子との前記接続状態に関わらず、前記入力切換部で前記第１の映像信号の入力に切り換えられたとき、前記音声入力端子に入力された前記音声信号を出力せず、前記入力切換部で前記第２の映像信号の入力に切り換えられたとき、前記音声入力端子に入力された前記音声信号を出力する第３の出力モードのいずれかで前記音声入力端子に入力された前記音声信号の出力を制御する、請求項１に記載の接続装置。
【請求項３】
ユーザーによる前記第１の出力モード、前記第２の出力モード又は前記第３の出力モードのいずれかの選択を受け付ける設定部を更に備える、請求項２に記載の接続装置。
【請求項４】
入力切換部が、第１の映像入力端子に入力される第１の映像信号の入力、又は第２の映像入力端子に入力される前記第１の映像信号とは異なる第２の映像信号の入力のいずれかに入力を切り換えるステップと、
接続検知部が、前記第１の映像入力端子と外部端子との接続状態を検知するステップと、
出力制御部が、前記第１の映像入力端子と前記外部端子との前記接続状態と、前記入力の切り換えに応じて、音声入力端子から入力された音声信号の出力を制御するステップと、
を含む、接続方法。
【発明の詳細な説明】
【技術分野】
【０００１】
本発明は、接続装置及び接続方法に関し、外部の出力装置と接続される映像表示装置等に適用して好適な接続装置及び接続方法に関する。
【背景技術】
【０００２】
映像を画面に表示したり音声をスピーカーから出力したりするテレビ受像機やプロジェクターなどの映像表示装置は、外部の出力装置と接続されて、映像・音声コンテンツデータを表示、出力する場合がある。外部の出力装置は、例えば、記録媒体（ＤＶＤ、ブルーレイディスク、ハードディスク、半導体メモリ等）に記録された映像コンテンツを再生し出力するＤＶＤプレーヤーやカムコーダ等、音楽などの音声コンテンツを再生し出力するオーディオプレーヤー等、又はパーソナルコンピュータ等である。
【０００３】
映像表示装置は、例えば、映像信号が入力される映像入力端子、音声信号が入力される音声入力端子、デジタル信号が入力されるデジタル信号入力端子などを有する。そして、これらの端子は、ケーブルやアダプタ等の端子と接続される。映像入力端子には、コンポジット映像信号の入力に適用されるＲＣＡ端子、Ｓ端子等、コンポーネント映像端子の入力に適用されるＲＣＡ端子、Ｄ端子等がある。音声入力端子には、アナログ音声信号の入力に適用されるＲＣＡ端子等がある。デジタル信号入力端子には、映像・音声デジタル信号の入力に適用されるＨＤＭＩ（High-Definition  Multimedia  Interface）端子、ＵＳＢ端子等がある。
【０００４】
例えば、特許文献１には、ＨＤＭＩが採用された技術であって、音声信号に対して信号処理を施す技術が開示されている。また、特許文献２には、ＨＤＭＩ端子がユーザーによって選択された際、どの音声入力端子から音声信号が入力されているかを検出し、ユーザーに対して表示する技術が開示されている。
【０００５】
【特許文献１】特開２００７−１１６５０７号公報
【特許文献２】特開２００７−３１２１８２号公報
【発明の開示】
【発明が解決しようとする課題】
【０００６】
ところで、映像表示装置では、１つのデジタル信号入力端子に、映像信号と音声信号が入力可能である場合であっても、装置間の接続方法によっては、デジタル信号入力端子には映像信号のみが入力され、音声信号は別途接続が必要となる場合もある。そのため、１つのデジタル信号入力端子と１つの音声入力端子（音声入力端子が右と左とで１対である場合は、１対の音声入力端子。以下同じ。）が１対となっているとよい。
【０００７】
しかし、１つのデジタル信号入力端子に対して、１つの音声入力端子を設けることは、映像表示装置の一定のスペースを占めることになる上、１つのデジタル信号入力端子と１つの音声入力端子を組み合わせて接続する使用方法は稀である。そのため、１つのデジタル信号入力端子に対して、１つの音声入力端子を設けるのではなく、音声入力端子を兼用可能として、１つの映像信号端子及び１つのデジタル信号入力端子に対して、１つの音声入力端子を対応付ける場合がある。
【０００８】
また、１つの音声入力端子と１つの映像入力端子が１対となって設けられることが一般的である。しかし、装置の簡素化などのため、複数の映像入力端子に対して、１つの音声入力端子が兼用可能としてもよい。
【０００９】
このように、映像信号が入力される２つ以上の映像入力端子やデジタル信号入力端子（以下、総称して映像入力端子という。）に対して、１つの音声入力端子が兼用される場合、その音声入力端子が、いずれの映像入力端子との組み合わせで映像・音声コンテンツデータが入力されるかが設定される必要がある。しかし、ユーザーが映像表示装置のＧＵＩ（Graphical  User  Interface）を利用して、設定しなければならない場合、ユーザー操作に手間がかかるという問題があった。
【００１０】
また、ユーザー操作によって正しい設定がされなかった場合、映像入力端子と音声入力端子が外部端子と正しく接続されているにもかかわらず、音声が適切に出力されないという問題が発生する。更に、上記のように、映像入力端子と音声入力端子を正しく対応させて映像・音声コンテンツデータを表示させなければならないという映像表示装置の使い方（使用シーン）は少ない。そのため、上記の設定操作はユーザーにとって不慣れであったり、設定操作が必要であること自体が気付かれにくかったりするという問題があった。
【００１１】
そこで、本発明は、上記問題に鑑みてなされたものであり、本発明の目的とするところは、１つの音声入力端子が複数の映像入力端子に対して兼用される場合、適切な音声信号の出力をすることが可能な、新規かつ改良された接続装置及び接続方法を提供することにある。
【課題を解決するための手段】
【００１２】
上記課題を解決するために、本発明のある観点によれば、第１の映像信号が入力される第１の映像入力端子と、第１の映像信号とは異なる第２の映像信号が入力される第２の映像入力端子と、音声信号が入力される音声入力端子と、第１の映像信号の入力又は第２の映像信号の入力のいずれかに入力を切り換える入力切換部と、第１の映像入力端子と外部端子との接続状態を検知する接続検知部と、第１の映像入力端子と外部端子との接続状態と、入力切換部の入力の切り換えに応じて、音声入力端子に入力された音声信号の出力を制御する出力制御部とを備える接続装置が提供される。
【００１３】
上記出力制御部は、接続検知部で第１の映像入力端子と外部端子との接続が検知されて、入力切換部で第１の映像信号の入力に切り換えられたとき、音声入力端子に入力された音声信号を出力し、入力切換部で第２の映像信号の入力に切り換えられたとき、音声入力端子に入力された音声信号を出力せず、接続検知部で第１の映像入力端子と外部端子との接続が検知されず、入力切換部で第１の映像信号の入力に切り換えられたとき、音声入力端子に入力された音声信号を出力せず、入力切換部で第２の映像信号の入力に切り換えられたとき、音声入力端子に入力された音声信号を出力する第１の出力モードと、接続検知部で検知された第１の映像入力端子と外部端子との接続状態に関わらず、入力切換部で第１の映像信号の入力に切り換えられたとき、音声入力端子に入力された音声信号を出力し、入力切換部で第２の映像信号の入力に切り換えられたとき、音声入力端子に入力された音声信号を出力しない第２の出力モードと、接続検知部で検知された第１の映像入力端子と外部端子との接続状態に関わらず、入力切換部で第１の映像信号の入力に切り換えられたとき、音声入力端子に入力された音声信号を出力せず、入力切換部で第２の映像信号の入力に切り換えられたとき、音声入力端子に入力された音声信号を出力する第３の出力モードのいずれかで音声入力端子に入力された音声信号の出力を制御してもよい。
【００１４】
ユーザーによる第１の出力モード、第２の出力モード又は第３の出力モードのいずれかの選択を受け付ける設定部を更に備えてもよい。
【００１５】
また、上記課題を解決するために、本発明の別の観点によれば、入力切換部が、第１の映像入力端子に入力される第１の映像信号の入力、又は第２の映像入力端子に入力される第１の映像信号とは異なる第２の映像信号の入力のいずれかに入力を切り換えるステップと、接続検知部が、第１の映像入力端子と外部端子との接続状態を検知するステップと、出力制御部が、第１の映像入力端子と外部端子との接続状態と、入力の切り換えに応じて、音声入力端子から入力された音声信号の出力を制御するステップとを含む接続方法が提供される。
【発明の効果】
【００１６】
本発明によれば、１つの音声入力端子が複数の映像入力端子に対して兼用される場合、適切な音声信号の出力をすることができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
（第１の実施形態の構成）
まず、本発明の第１の実施形態に係るテレビ受像機１００の構成について説明する。図１は、本実施形態に係るテレビ受像機１００を示すブロック図である。
【００１９】
本実施形態に係るテレビ受像機１００は、図１に示すように、例えば、制御部１０２と、チューナー１１２と、デモジュレータ１１４と、映像入力端子Ａ１２１と、音声入力端子Ａ１２２と、映像入力端子Ｂ１２５と、操作部１３０と、リモコン（リモートコントローラ）受信部１４０と、スピーカー１５０と、表示部１６０などからなる。
【００２０】
テレビ受像機１００は、映像を画面に表示したり音声をスピーカーから出力したりする映像表示装置の一例であり、アンテナ１１０を介してテレビ放送信号を受信し、テレビ放送を表示する。また、テレビ受像機１００は、映像入力端子Ａ１２１と、音声入力端子Ａ１２２と、映像入力端子Ｂ１２５などの各種接続端子を備え、外部の出力装置と接続されて、映像・音声コンテンツデータを表示、出力する。
【００２１】
制御部１０２は、更に、図１に示すように、ＣＰＵ１０４と、入力設定部１０５と、メモリ１０６と、接続検知部１０７と、出力制御部１０８と、入力切換部１０９などからなる。ここで、制御部１０２と、映像入力端子Ａ１２１と、音声入力端子Ａ１２２と、映像入力端子Ｂ１２５の組合せからなる構成要素は、本発明の接続装置の一例である。
【００２２】
ＣＰＵ（Central  Processing  Unit）１０４は、プログラムによって演算処理装置及び制御装置として機能し、テレビ受像機１００内に設けられた各構成要素の処理を制御できる。
【００２３】
入力設定部１０５は、設定部の一例であり、ビデオ入力モードの選択、及び映像入力端子Ａ１２１の接続状態に応じた３つの「スキップ設定」のいずれか１つを設定する。具体的には、入力設定部１０５は、ユーザーによるスキップ設定の選択を受け付け、３つのスキップ設定のうちの１つのスキップ設定を設定する。その結果、出力制御部１０８は、入力設定部１０５で設定されたスキップ設定に基づいて音声入力端子Ａ１２２からの音声信号の入力を受け付け、スピーカー１５０に音声信号を出力する。
【００２４】
スキップ設定が設定されることで、映像入力端子Ａ１２１の接続状態に応じて、ユーザーが意識することなく（ユーザーにとって自動的に）、適切な音声の出力がされたり、ユーザーが選択した音声の出力が手動で可能となったりする。
【００２５】
ここで、ビデオ入力モードは、「ビデオ入力モードＡ」と、「ビデオ入力モードＢ」があり、ビデオ入力モードＡは、映像入力端子Ａ１２１に入力された映像信号による映像を表示部１６０に表示する。このとき、音声入力端子Ａ１２２に入力された音声信号による音声をスピーカー１５０から出力するかどうかは、出力制御部１０８による制御、即ち、入力設定部１０５で設定されたスキップ設定で決定される。
【００２６】
ビデオ入力モードＢは、映像入力端子Ｂ１２５に入力された映像信号による映像を表示部１６０に表示する。このとき、音声入力端子Ａ１２２に入力された音声信号による音声をスピーカー１５０から出力するかどうかは、出力制御部１０８による制御、即ち、入力設定部１０５で設定されたスキップ設定で決定される。
【００２７】
３つのスキップ設定は、（１）映像入力端子Ａ１２１の接続（又は信号入力）がある場合、ユーザーによって選択されたビデオ入力モードＡ又はビデオ入力モードＢと対応するように、映像信号と音声信号を出力する「モード１」と、（２）映像入力端子Ａ１２１の接続（又は信号入力）に関わらず、ユーザーによってビデオ入力モードＡが選択されると、常に音声信号を出力する「モード２」と、（３）映像入力端子Ａ１２１の接続（又は信号入力）や、ユーザーによるビデオ入力モードＡの選択に関わらず、ビデオ入力モードＡでは常に音声信号を出力しない「モード３」である。
【００２８】
更に、スキップ設定を具体的に説明すると、モード１では、接続検知部１０７で映像入力端子Ａ１２１と外部端子（ケーブル端子やアダプタ端子等）との接続が検知されて、入力切換部１０９でビデオ入力モードＡに切り換えられたとき、出力制御部１０８が音声入力端子Ａ１２２に入力された音声信号を出力し、入力切換部１０９でビデオ入力モードＢに切り換えられたとき、出力制御部１０８は音声入力端子Ａ１２２に入力された音声信号を出力しない。また、モード１は、接続検知部１０７で映像入力端子Ａ１２１と外部端子との接続が検知されず、入力切換部１０９でビデオ入力モードＡに切り換えられたとき、出力制御部１０８は音声入力端子Ａ１２２に入力された音声信号を出力せず、入力切換部１０９でビデオ入力モードＢに切り換えられたとき、出力制御部１０８は音声入力端子Ａ１２２に入力された音声信号を出力する。
【００２９】
モード２では、接続検知部１０７で検知された映像入力端子Ａ１２１と外部端子との接続状態に関わらず、入力切換部１０９でビデオ入力モードＡに切り換えられたとき、出力制御部１０８が音声入力端子Ａ１２２に入力された音声信号を出力し、入力切換部１０９でビデオ入力モードＢに切り換えられたとき、出力制御部１０８は音声入力端子Ａ１２２に入力された音声信号を出力しない。モード２では、ビデオ入力モードＡに切り換えられたとき、映像入力端子Ａ１２１に外部端子が接続されていないときも、音声を出力できる。
【００３０】
モード３では、接続検知部１０７で検知された映像入力端子Ａ１２１と外部端子との接続状態に関わらず、入力切換部１０９でビデオ入力モードＡに切り換えられたとき、出力制御部１０８は音声入力端子Ａ１２２に入力された音声信号を出力せず、入力切換部１０９でビデオ入力モードＢに切り換えられたとき、出力制御部１０８が音声入力端子Ａ１２２に入力された音声信号を出力する。
【００３１】
メモリ１０６は、例えば、ＲＡＭ（Random  Access  Memory）、ＲＯＭ（Read  Only  Memory）、キャッシュメモリなどの記憶装置である。メモリ１０６は、ＣＰＵ１０４の処理に関するデータ、ＣＰＵ１０４の動作プログラムなどを一時的に記憶する。また、メモリ１０６は、入力設定部１０５で設定された３つのスキップ設定のうちの１つの値（モード）を一時的に保存し、設定されたスキップ設定を出力制御部１０８に送る。
【００３２】
接続検知部１０７は、映像入力端子Ａ１２１、映像入力端子Ｂ１２５それぞれにおいて、映像入力端子Ａ１２１、映像入力端子Ｂ１２５と、ケーブル端子やアダプタ端子等の外部端子との接続を検知する。接続検知部１０７は、映像入力端子Ａ１２１、映像入力端子Ｂ１２５それぞれにおける接続状態を出力制御部１０８、入力切換部１０９に送る。
【００３３】
接続検知部１０７は、物理的に端子の接続を検知するメカニカルスイッチでもよいし、外部の出力装置から出力される映像信号を検出する信号検出部でもよい。信号検出部は、映像信号が検出されたとき、端子が接続されていると判断する。メカニカルスイッチや信号検出部の構成や作用は、通常の技術を適用することができ、詳細な説明は省略する。
【００３４】
出力制御部１０８は、音声出力端子Ａ１２２から音声信号を受ける。出力制御部１０８は、メモリ１０６を介して入力設定部１０５から、入力設定部１０５で設定されたスキップ設定を受ける。また、出力制御部１０８は、接続検知部１０７から映像入力端子Ａ１２１又は映像入力端子Ｂ１２５の接続状態を受ける。更に、出力制御部１０８は、入力切換部１０９で切り換えられたビデオ入力モードを受ける。
【００３５】
そして、出力制御部１０８は、接続状態、ビデオ入力モードに応じて決定されたスキップ設定に基づいて、音声信号のスピーカー１５０への出力を制御する。
【００３６】
入力切換部１０９は、映像信号が外部の出力装置から入力されているとき、映像入力端子Ａ１２１、映像入力端子Ｂ１２５から映像信号を受ける。そして、入力切換部１０９は、ユーザーによる操作部１３０の操作によって選択されたビデオ入力モードに対応して、映像信号の入力を切り換える。選択されるビデオ入力モードは、上述したビデオ入力モードＡ又はビデオ入力モードＢである。入力切換部１０９は、ビデオ入力モードＡが選択されているとき、映像信号の入力を映像入力端子Ａ１２１からの入力に切り換え、ビデオ入力モードＢが選択されているとき、映像信号の入力を映像入力端子Ｂ１２５からの入力に切り換える。
【００３７】
但し、ビデオ入力モードＡが選択されたとしても、入力設定部１０５でスキップ設定がモード３に設定されている場合は、映像信号の入力を映像入力端子Ａ１２１からの入力に切り換えない。
【００３８】
アンテナ１１０は、テレビ放送信号に関する電波を高周波電流に変換する。アンテナ１１０は、テレビ受像機１００のチューナー１１２と接続される。
チューナー１１２は、目的とする周波数の電波を選択する同調回路を有し、テレビ放送の選局をする。チューナー１１２は、同調によって選択された周波数の電波に対応する信号をデモジュレータ１１４に送る。
デモジュレータ１１４は、チューナー１１２から入力された信号からテレビ信号やデータ信号を抽出し、制御部１０２に送る。
テレビ受像機１００は、アンテナ１１０、チューナー１１２、デモジュレータ１１４によって、テレビ放送の映像を表示部１６０に表示したり、音声をスピーカー１５０から出力したりすることができる。
【００３９】
映像入力端子Ａ１２１、映像入力端子Ｂ１２５は、例えば、コンポジット映像信号の入力に適用されるＲＣＡ端子、Ｓ端子等、コンポーネント映像端子の入力に適用されるＲＣＡ端子、Ｄ端子等である。また、映像入力端子Ａ１２１、映像入力端子Ｂ１２５は、映像・音声デジタル信号の入力に適用されるＨＤＭＩ（High-Definition  Multimedia  Interface）端子、ＵＳＢ端子等であってもよい。
【００４０】
映像入力端子Ａ１２１、映像入力端子Ｂ１２５は、ケーブルやアダプタ等の外部端子と接続され、外部の出力装置から映像信号を受ける。
【００４１】
音声入力端子Ａ１２２は、例えば、アナログ音声信号の入力に適用されるＲＣＡ端子等、デジタル音声信号の入力に適用される光デジタル音声入力端子等である。音声入力端子Ａ１２２は、外部端子と接続され、外部の出力装置から音声信号を受ける。
【００４２】
図２に、端子パネル１２０に配置された映像入力端子Ａ１２１、音声入力端子Ａ１２２、映像入力端子Ｂ１２５の一例を示す。図２は、映像入力端子Ａ１２１、音声入力端子Ａ１２２、映像入力端子Ｂ１２５の一例を示す正面図である。
【００４３】
ここで、映像入力端子Ａ１２１は、コンポジット映像信号の入力に適用されるＲＣＡ端子であり、音声入力端子Ａ１２２は、アナログ音声信号の入力に適用されるＲＣＡ端子である。音声入力端子Ａ１２２は、ステレオ入力に対応しており、左入力用端子１２３と右入力用端子１２４からなる。
映像入力端子Ｂ１２５は、ＨＤＭＩ端子である。
【００４４】
例えば、外部の出力装置の映像信号がコンポジット映像信号であり、音声信号がアナログ信号であるとき、映像入力端子Ａ１２１と音声入力端子Ａ１２２の組合せで端子を接続する。
【００４５】
例えば、外部の出力装置の映像信号及び音声信号がデジタル信号であり、ＨＤＭＩで出力されるときは、映像入力端子Ｂ１２５（ＨＤＭＩ端子）のみに端子を接続することで、映像入力端子Ｂ１２５だけでも映像と音声の両方を出力できる。
【００４６】
例えば、外部の出力装置（例えば、パーソナルコンピュータ等）の映像信号がデジタル信号であり、ＤＶＩ（Digital  Visual  Interface）で出力され、音声信号がアナログ信号であるときは、ＤＶＩ・ＨＤＭＩ変換アダプタを介して、映像信号は映像入力端子Ｂ１２５（ＨＤＭＩ端子）に入力される。一方、音声信号は音声入力端子Ａ１２２に入力される。従って、映像入力端子Ｂ１２５と音声入力端子Ａ１２２の組合せで端子を接続する。
【００４７】
操作部１３０は、ボタンなどのインターフェースと操作回路などからなる。操作部１３０は、テレビ受像機１００のパネル部分に設けられてもよいし、リモートコントローラであってもよい。操作部１３０では、入力設定部１０５で設定されるスキップ設定の選択や、入力切換部１０９で設定されるビデオ入力モードの選択がユーザーによって行われる。操作部１３０は、これらの選択指示を入力設定部１０５や入力切換部１０９などに送る。
【００４８】
リモコン（リモートコントローラ）受信部１４０は、リモートコントローラから信号を受信し、受信した信号を制御部１０２に送る。リモコン受信部１４０がリモートコントローラから受信する信号は、例えば、テレビ放送の選局、音量調整等に関する信号である。
スピーカー１５０は、音声信号に基づいて音声を出力する。スピーカー１５０は、出力制御部１０８で選択された音声信号を受ける。
表示部１６０は、例えば、液晶ディスプレイ（ＬＣＤ）装置、ＣＲＴディスプレイ装置などであり、映像信号に基づいて映像を表示する。表示部１６０は、入力切換部１０９で選択された映像信号を受ける。
【００４９】
（本実施形態の動作）
次に、図３を参照して、本実施形態に係るテレビ受像機１００の音声出力動作について説明する。図３は、本実施形態に係るテレビ受像機１００の音声出力動作を示すフローチャートである。
【００５０】
本実施形態は、音声入力端子Ａ１２２が映像入力端子Ａ１２１と映像入力端子Ｂ１２５の両方と組み合わせて使用できるように兼用となっている場合に適用される（ステップＳ１０１）。
【００５１】
まず、ユーザーによって選択されたビデオ入力モードがビデオ入力モードＡである場合について説明する（ステップＳ１０２）。
【００５２】
スキップ設定がモード１である場合（ステップＳ１０３）、映像入力端子Ａ１２１の接続（又は信号入力）があれば、テレビ受像機１００はユーザーによって選択されたビデオ入力モードＡと対応するように映像信号と音声信号を出力する。即ち、接続検知部１０７が映像入力端子Ａ１２１の接続状態を検知し（ステップＳ１０４）、映像入力端子Ａ１２１に外部端子が接続されていたり、信号が入力されていたりする場合は、出力制御部１０８は、音声信号をスピーカー１５０へ出力する（ステップＳ１０５）。その結果、表示部１６０は映像入力端子Ａ１２１から入力された映像信号による映像を表示し、スピーカー１５０は音声入力端子Ａ１２２から入力された音声信号による音声を出力する。
【００５３】
一方、スキップ設定がモード１であっても、映像入力端子Ａ１２１の接続（又は信号入力）がなければ、映像入力端子Ａ１２１に映像信号が入力されることはないため、出力制御部１０８は、音声入力端子Ａ１２２に入力される音声信号を出力しない（ステップＳ１０６）。その結果、表示部１６０は映像を表示しないし、スピーカー１５０は音声を出力しない。
【００５４】
ユーザーによって選択されたビデオ入力モードがビデオ入力モードＡであって、スキップ設定がモード２である場合（ステップＳ１０７）、映像入力端子Ａ１２１の接続（又は信号入力）に関わらず、ユーザーによってビデオ入力モードＡが選択されると、出力制御部１０８は常に音声信号をスピーカー１５０に出力する（ステップＳ１０８）。その結果、スピーカー１５０は、映像入力端子Ａ１２１の接続に関わらず、常に、音声入力端子Ａ１２２から入力された音声信号による音声を出力する。従って、モード２では、ビデオ入力モードＡに切り換えられたとき、映像入力端子Ａ１２１に外部端子が接続されていないときも、音声を出力できる。例えば、外部の出力装置がオーディオプレーヤーなどである場合、テレビ受像機１００から音声のみを出力できる。
【００５５】
ユーザーによって選択されたビデオ入力モードがビデオ入力モードＡであって、スキップ設定がモード３である場合（ステップＳ１０９）、映像入力端子Ａ１２１の接続（又は信号入力）や、ユーザーによるビデオ入力モードＡの選択に関わらず、ビデオ入力モードＡでは常に音声信号を出力しない（ステップＳ１１０）。スキップ設定がモード３に設定されている場合は、入力切換部１０９は、ビデオ入力モードＡが選択されたとしても、映像信号の入力を映像入力端子Ａ１２１からの入力に切り換えない。その結果、表示部１６０は映像を表示しないし、スピーカー１５０は音声を出力しない。
【００５６】
次に、ユーザーによって選択されたビデオ入力モードがビデオ入力モードＢである場合について説明する（ステップＳ１１１）。ビデオ入力モードがビデオ入力モードＡでもビデオ入力モードＢでもないときは、本実施形態の範囲外である。
【００５７】
ビデオ入力モードＡのスキップ設定がモード１である場合（ステップＳ１１２）、映像入力端子Ａ１２１の接続（又は信号入力）があったとしても、テレビ受像機１００はユーザーによって選択されたビデオ入力モードＢと対応するように映像信号と音声信号を出力する。従って、出力制御部１０８は、常に映像入力端子Ｂ１２５に入力された映像信号を表示部１６０に出力する。
【００５８】
一方、接続検知部１０７が映像入力端子Ａ１２１の接続状態を検知し（ステップＳ１１３）、映像入力端子Ａ１２１に外部端子が接続されていたり、信号が入力されていたりする場合は、出力制御部１０８は、音声信号をスピーカー１５０へ出力しない（ステップＳ１１４）。その結果、表示部１６０は映像入力端子Ｂ１２５から入力された映像信号による映像を表示するが、スピーカー１５０は音声入力端子Ａ１２２から入力された音声信号による音声を出力しない。例えば、映像入力端子Ａ１２１と音声入力端子Ａ１２２の組合せで端子が接続されている場合でも、ビデオ入力モードＢで、スキップ設定がモード１であるときは、表示部１６０は映像入力端子Ｂ１２５から入力された映像信号による映像を表示できる。また、映像入力端子Ｂ１２５が例えばＨＤＭＩであって音声信号の入力も可能であれば、スピーカー１５０は映像入力端子Ｂ１２５から入力された音声信号を出力できる。
【００５９】
一方、スキップ設定がモード１である場合、映像入力端子Ａ１２１の接続（又は信号入力）がなければ、映像入力端子Ａ１２１に映像信号が入力されることはないため、出力制御部１０８は、音声入力端子Ａ１２２に入力される音声信号を出力する（ステップＳ１１５）。その結果、表示部１６０は映像入力端子Ｂ１２５から入力された映像信号による映像を表示し、スピーカー１５０は音声入力端子Ａ１２２から入力された音声信号による音声を出力する。例えば、映像入力端子Ｂ１２５と音声入力端子Ａ１２２の組合せで端子が接続されている場合、ビデオ入力モードＢで、スキップ設定がモード１であるときは、表示部１６０は映像入力端子Ｂ１２５から入力された映像信号による映像を表示し、スピーカー１５０は音声入力端子Ａ１２２から入力された音声信号による音声を出力できる。
【００６０】
ユーザーによって選択されたビデオ入力モードがビデオ入力モードＢであって、ビデオ入力モードＡのスキップ設定がモード２である場合（ステップＳ１１６）、映像入力端子Ａ１２１の接続（又は信号入力）に関わらず、ユーザーによってビデオ入力モードＢが選択されると、出力制御部１０８は常に音声信号をスピーカー１５０に出力しない（ステップＳ１１７）。その結果、表示部１６０は映像入力端子Ｂ１２５から入力された映像信号による映像を表示するが、スピーカー１５０は、映像入力端子Ａ１２１の接続に関わらず、常に、音声入力端子Ａ１２２から入力された音声信号による音声を出力しない。
【００６１】
例えば、映像入力端子Ａ１２１と音声入力端子Ａ１２２の組合せで端子が接続されている場合でも、ビデオ入力モードＢで、スキップ設定がモード２であるときは、表示部１６０は映像入力端子Ｂ１２５から入力された映像信号による映像を表示できる。また、映像入力端子Ｂ１２５が例えばＨＤＭＩであって音声信号の入力も可能であれば、スピーカー１５０は映像入力端子Ｂ１２５から入力された音声信号を出力できる。
【００６２】
ユーザーによって選択されたビデオ入力モードがビデオ入力モードＢであって、スキップ設定がモード３である場合（ステップＳ１１８）、映像入力端子Ａ１２１の接続（又は信号入力）に関わらず、ビデオ入力モードＢでは常に音声信号を出力する（ステップＳ１１９）。その結果、表示部１６０は映像入力端子Ｂ１２５から入力された映像信号による映像を表示し、スピーカー１５０は、映像入力端子Ａ１２１の接続に関わらず、常に、音声入力端子Ａ１２２から入力された音声信号による音声を出力する。
【００６３】
例えば、映像入力端子Ｂ１２５と音声入力端子Ａ１２２の組合せで端子が接続されている場合、ビデオ入力モードＢで、スキップ設定がモード３であるときは、表示部１６０は映像入力端子Ｂ１２５から入力された映像信号による映像を表示し、スピーカー１５０は音声入力端子Ａ１２２から入力された音声信号による音声を出力できる。
【００６４】
上記実施形態によれば、１つの映像入力端子に対して、１つの音声入力端子を設けるのではなく、音声入力端子を兼用可能として、１つの映像信号端子及び１つのデジタル信号入力端子に対して１つの音声入力端子を設ける場合や、２つの映像入力端子に対して１つの音声入力端子を設ける場合、いずれの映像入力端子との組み合わせで映像・音声コンテンツデータが入力されるかを設定する手間を省くことができる。
【００６５】
また、映像入力端子と音声入力端子が外部端子と正しく接続されているにもかかわらず、音声が適切に出力されないという問題が生じることがなくなる。更に、ユーザーの利用状況にあった音声入力切り換えがスムーズに行われる。
【００６６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６７】
例えば、上記実施形態では映像表示装置の一例としてテレビ受像機１００について説明したが、本発明はかかる例に限定されない。例えば、映像表示装置は、プロジェクター、モニター、パーソナルコンピュータなどであってもよい。そして、本発明の接続装置は、テレビ受像機１００以外の映像表示装置にも適用することができる。
【図面の簡単な説明】
【００６８】
【図１】本発明の第１の実施形態に係るテレビ受像機を示すブロック図である。
【図２】映像入力端子Ａ、音声入力端子Ａ、映像入力端子Ｂの一例を示す正面図である。
【図３Ａ】同実施形態に係るテレビ受像機の音声出力動作を示すフローチャートである。
【図３Ｂ】同実施形態に係るテレビ受像機の音声出力動作を示すフローチャートである。
【符号の説明】
【００６９】
１００      テレビ受像機
１０２      制御部
１０４      ＣＰＵ
１０５      入力設定部
１０６      メモリ
１０７      接続検知部
１０８      出力制御部
１０９      入力切換部
１１０      アンテナ
１１２      チューナー
１１４      デモジュレータ
１２１      映像入力端子Ａ
１２２      音声入力端子Ａ
１２５      映像入力端子Ｂ
１３０      操作部
１４０      リモコン（リモートコントローラ）受信部
１５０      スピーカー
１６０      表示部
【図１】
2009218716.tif 000003
【図２】
2009218716.tif 000004
【図３Ａ】
2009218716.tif 000005
【図３Ｂ】
2009218716.tif 000006